(57)【要約】      （修正有）【課題】環境にやさしい平面ストロー構造を提供する。【解決手段】柔軟性フィルム１からなり、長さ方向の左右両辺の第一側辺１１と第二側辺１２に対して、一端側に第一角度θ１≒９０度をなす第三側辺１３と第四側辺１４、他端側に同様に第二角度θ２をなす第五側辺と第六側辺を形成した六角形状として、第三側辺１３から垂直方向に巻回して管体として面ファスナーなどの固定部品２１、２２によって固定する。ストローとして飲用に使用後、平面状態に展開して洗浄すれば再使用可能であり、短く巻き取って携帯かつ収納しやすくなる。【選択図】図１
0003224031.tif 000002
【実用新案登録請求の範囲】
【請求項１】
柔軟性フィルムからなり、
長さ方向の一端側に固定部被品を備えると共に左右両辺を第一側辺と第二側辺とし、
上記長さ方向の他端側にそれぞれ第一側辺と第二側辺と接続して相互に角度をなす第三側辺と第四側辺を形成し、
該第三側辺側から垂直方向に巻回して端縁部が重ね合された管体状態とし、
前記固定部品により固定することにより、
平面に展開可能としたことを特徴とする環境にやさしい平面ストロー構造。
【請求項２】
上記柔軟性フィルムは、
上記長さ方向の他端側にそれぞれ第一側辺と第二側辺と接続して相互に角度をなす第五側辺と第六側辺を形成して六辺形とし、
上記第四側辺と第五側辺と第六側辺は直線またはカーブを有することを特徴とする請求項１の環境にやさしい平面ストロー構造。
【請求項３】
上記固定部品は、スナップボタンなどの嵌合構造のロック部材であり、凹み部材と少なくとも一つの突起部材からなり、上記凹み部材は上記第六側辺の内表面に設置され、少なくとも一つの突起部材は上記第五側辺の外表面に設置されることを特徴とする請求項２の環境にやさしい平面ストロー構造。
【請求項４】
上記固定部品は、スナップボタンなどの嵌合構造のロック部材であり、突起部材と少なくとも一つの凹み部材があり、上記突起部材は上記第六側辺の内表面に設置され、少なくとも一つの凹み部材は上記第五側辺の外表面に設置されることを特徴とする請求項２の環境にやさしい平面ストロー構造。
【請求項５】
上記固定部品は、面ファスナーであり、フック状構造部材と少なくとも一つの環状構造部材からなり、上記フック状構造部材は上記第六側辺の内表面に設置され、少なくとも一つの環状構造部材は上記第五側辺の外表面に設置されることを特徴とする請求項１の環境にやさしい平面ストロー構造。
【請求項６】
上記固定部品は、面ファスナーであり、環状構造部材と少なくとも一つのフック状構造部材からなり、上記環状構造部材は上記第六側辺の内表面に設置され、少なくとも一つのフック状構造部材は上記第五側辺の外表面に設置されることを特徴とする請求項１の環境にやさしい平面ストロー構造。
【請求項７】
上記固定部品は、束ねリングまたは束ね紐であることを特徴とする請求項１の環境にやさしい平面ストロー構造。
【請求項８】
上記柔軟性フィルムは、上記の長さ方向に沿って巻回して収納状態に呈することを特徴とする請求項１の環境にやさしい平面ストロー構造。
【請求項９】
上記収納状態を呈し、飲み物カップの蓋に切り込みを入れるプラスチックフィルムカット構造を備えた収納箱に収納可能としたことを特徴とする請求項１の環境にやさしい平面ストロー構造。
【請求項１０】
上記柔軟性フィルムの内表面には複数のサイズ標記ラインを設け、該サイズ標記ラインはそれぞれ第三側辺と互いに平行して間隔を空け、また上記サイズ標記ラインの間に互いに間隔を空け、また互いに平行し、巻く時、上記第三側辺をその中一つのサイズ標記ラインに重ね合せて巻くことで、予定される管内径の管体が形成されることを特徴とする請求項１の環境にやさしい平面ストロー構造。
【考案の詳細な説明】
【技術分野】
【０００１】
本考案は飲食用器具に関し、特に環境にやさしい平面ストロー構造に関する。
【背景技術】
【０００２】
世界的に環境保護意識が高まり、ストローが大量に使われることで、業者がプラスチック材質を代用する案が数多く提案され、例えば、竹のストロー、麦の稈のストロー、さとうきび繊維のストロー、紙のストロー、わかめのストロー（食べられる）、ステンレスのストロー、ガラスのストローなどがある。
これらのストローは環境にやさしい材質が求められるが、まだたくさんの問題を克服する必要がある。例えば、植物材質のストローは製造過程において多くののエネルギーを費やして材料を洗浄、殺菌、虫の卵の除去、異臭の除去などの過程を経る必要がある。可食性のわかめのストローは製造過程と材料の選別の制限があるため、価格が高く、市場に広めにくい。ステンレスとガラスのストローは内管が洗いにくいため、特別な洗浄道具で洗わないといけない問題がある。このほか、ステンレスのストローは材料原価と販売価格の考量から、太いサイズの大量製造が行われていない。ガラスのストローは材料が壊れやすいため、太いサイズが作りにくく、携帯しにくい問題もある。
【先行技術文献】
【特許文献】
【０００３】
【特許文献１】実用新案登録第３２２０３３６号公報
【考案の概要】
【考案が解決しようとする課題】
【０００４】
従来技術に存在する上述の欠点について解決し、環境にやさしい平面ストロー構造を提供する。
【課題を解決するための手段】
【０００５】
本考案の環境にやさしい平面ストロー構造は、柔軟性フィルムはシリコーン樹脂製であり、高温または低温に強く、かつ無毒であるため、使用寿命が長く、再使用が可能な環境にやさしい材料であって、各状況に適している。また柔軟性材質は柔らかく、ステンレスのストローによる切り傷または刺し傷の危険性がない。柔軟性材質は重ねた後、しっかり密着して合わせられるため、液体が漏れる可能性がない。柔軟性フィルムは平面状態に呈する時、管体状態より広げられるため清潔で角がなく、別な洗浄道具を併せなくてもよい。また、巻きサイズ標記ラインによって管体（ストロー）の直径の大きさが決められ、各種飲み物に適する。平行に長い筋方向に巻いて収納すれば、短く巻き取って体積が小さくなり、気密性がある収納箱内に入れられるため、衛生的で携帯しやすい。
収納箱には別にプラスチックフィルムカット構造（刃）が設置でき、飲み物カップの蓋に切り込みが入れられ、飲み物カップにストローの差し込み口を形成する問題が解決できる。また、固定部品の設置は柔軟性フィルムが巻いて管体状態になる時に固定することを行え、固定部品の固定方式または手段は従来の技術によって柔軟性フィルムに設置され、短く巻回した状態に固定できるため携帯かつ収納しやすくなる。
【図面の簡単な説明】
【０００６】
【図１】図１は、本考案の環境にやさしい平面ストロー構造が平面状態を示す図である。
【図２】図２は、本考案の環境にやさしい平面ストロー構造が管体状態の第一実施例を示す図である。
【図３】図３は、本考案の環境にやさしい平面ストロー構造が管体状態の第二実施例を示す図である。
【図４】図４は、本考案の環境にやさしい平面ストロー構造が管体状態の第三実施れを示す図である。
【図５】図５は、本考案が管体状態に呈する時に束ねリングによって固定される第四実施例を示す図である。
【図６】図６は、本考案が管体状態に呈する時に束ねリングによって固定される第五実施例を示す図である。
【図７】図７は、本考案は収納状態に呈する時を示す図である。
【図８】図８は、本考案は収納状態に呈し、収納箱に入れられる状態を示す図である。
【考案を実施するための形態】
【０００７】
まず、図１を参照されたい。本考案の環境にやさしい平面ストロー構造１００は、柔軟性フィルム１と固定部品２とを含む。図１に示されるように、柔軟性フィルム１は平面状態に呈する時、長さ方向Ｘの左右両辺の第一側辺１１と第二側辺１２があり、上述の長さ方向Ｘの矢印後方の端辺に第三側辺１３と第四側辺１４がある。
第三側辺１３は、第一側辺１１の端部に接続し、第四側辺１４は第二側辺１２の端部に接続して、それぞれ相対する第二側辺１２、第一側辺１１に向けて延長して第三側辺１３と第四側辺１４の間に第一角度θ１をなす。
次に図２から図４を参照されたい。柔軟性フィルム１は管体状態を呈する時、第三側辺１３側から垂直な巻き方向Ｒで第二側辺１２方向に向かって管体状に巻かれ（管体の長さは図１に示される長さＬであり、第三側辺１３と平行となる。）、また巻く時に第三側辺１３端縁が互いに重ね合され、重ね合される部分の厚さは柔軟性フィルム１の厚さにもよるが１ｍｍ以上とすることで、空気が漏れることが防げられる。
【０００８】
その中、柔軟性フィルム１の内表面には複数のサイズ標記ラインが設けられ、各サイズ標記ラインはそれぞれ第三側辺１３と互いに平行に間隔を空けて形成される。また、各サイズ標記ラインの間に互いに間隔を空け、また互いに平行とする。巻く時、第三側辺１３の位置をその中の一つのサイズ標記ラインに重ね合せて巻くことで、予定される管内径の管体が形成される。即ち、図１と図２を参照されたい。
図２の第一実施例の中、第三側辺１３の手前にあるのは細いストローの内径標記ライン１３２である。図１と図３に示されるように、図３の第二実施例の中、第三側辺１３から最も離れているのは太いストローの内径標記ライン１３１である。図１と図４に示されるように、図４の第三実施例の中、第三側辺１３に最も近いのは箸の内径標記ライン１３３である。このため、使用されるストローの太さにより、第三側辺と異なる距離のサイズ標記ラインが標記できるが、本考案はこれに限られない。
【０００９】
さらに、柔軟性フィルム１は、上述の長さ方向Ｘの矢印前方の端辺に第五側辺１５と第六側辺１６を備えることで、柔軟性フィルム１を大体六辺形を呈する。
第五側辺１５は第一側辺１１の一端に接続され、第六側辺１６は第二側辺１２の一端に接続されてそれぞれ相対する第二側辺１２及び第一側辺１１の方向に向けて延長されて、第五側辺１５と第六側辺１６の間に第二角度θ２を形成する。
また、該第四側辺１４と第五側辺１５と第六側辺１６は直線またはカーブを有する。
【００１０】
本考案の柔軟性フィルム１は、柔軟性材質より作られ、例えば、シリコーン樹脂またはそのほか無毒な環境にやさしい材質が用いられる。柔軟性材質を細長いフィルムに作り、フィルムの厚さと硬度は商品の需要によって調整でき、本考案はこれに限られない。
【００１１】
固定部品２は、柔軟性フィルム１が管体状態を呈する時、柔軟性フィルム１の一端側に固定される。図１に合わせて図２から図４を参照されたい。固定部品２は面ファスナーであり、フック状構造部材２１と少なくとも一つの環状構造部材２２（本考案は二つを例として説明、これに限られない）からなる。
フック状構造部材２１は第六側辺１６の内表面に設置され、二つの環状構造部材２２は第五側辺１５の外表面に設置され、環状構造２２は巻いた後の異なる管径に応じて設置位置を調整する。これによって、柔軟性フィルム１を巻いて管体状態を呈する時、フック状構造部材２１を対応する環状構造部材２２に合わせて固定される。
【００１２】
上述の固定部品の作用と合わせによると、本考案は一部の実施例において、固定部品は面ファスナーであり、環状構造部材と少なくとも一つのフック状構造部材がある。環状構造部材は第六側辺の内表面に設置され、少なくとも一つのフック状構造部材は第五側辺の外表面に設置される。
そのほか、その他の実施例においては、固定部品はスナップボタンなどの嵌合構造のロック部材であり、凹み部材と少なくとも一つの突起部材を用いる。凹み部材は第六側辺の内表面に設置され、少なくとも一つの突起部材は第五側辺の外表面に設置される。あるいは、その他の実施例では、固定部品はスナップボタンなどの嵌合構造のロック部材であって、突起部材と少なくとも一つの凹み部材がある。突起部材は第六側辺の内表面に設置され、少なくとも一つの凹み部材は第五側辺の外表面に設置される。即ち、固定部品は凹凸嵌合による固定方式でもよいが、本考案はこれに限られない。本考案は上述の固定方式以外、例えば、吸盤または磁石などで吸着する方式によっても固定の効果を達せるが、本考案はこれらの固定手段に限られない。
【００１３】
図５と図６を参照されたい。固定部品２は束ねリング（または束ね紐）でもいい。即ち、細いストローの実施例（図５に示されるように）または太いストローの実施例（図６に示されるように）では、固定部品２は束ねリング（または束ね紐）でもよく、管体状態に呈する柔軟性フィルム１を固定する。
【００１４】
図７を参照されたい。一部の実施例の中、本考案の柔軟性フィルム１は上述の長さ方向Ｘに沿って巻いてから収納状態に呈する。収納状態の管体の長さは柔軟性フィルム１が平面状態に呈する時の幅Ｗ（図１に示されるように）である。即ち、上述の幅Ｗは第一側辺１１と第二側辺１２の間の距離であり、上述幅Ｗは上述の長さＬより短い。
【００１５】
同時に図８を参照されたい。図７の中に収納状態を呈する柔軟性フィルム１は収納箱２００の中に収納でき、収納箱２００は丸い筒状でもよく、また互いに嵌合される収納本体２１０と収納蓋２２０がある。収納箱２００にはプラスチックフィルムカット構造２３０（例えば刃）を備え、収納蓋２２０の外部に設置することにより、飲み物カップの蓋に切り込みが入れることができる。
【００１６】
上述の構造によると、柔軟性フィルム１はシリコーン樹脂製であり、高温及び低温に耐え、かつ無毒であって使用寿命が長いため、繰り返し使用可能で環境にやさしい材料であって、各状況に適している。また柔軟性材質は柔らかく、ステンレスのストローによる様な切り傷または突き刺さる危険性がない。柔軟性材質は重ねた後、しっかり貼り合わせられるため、液体が漏れる可能性がない。
柔軟性フィルム１は、管体状態より平面状態に呈するように展開して広げられるため汚れが残りやすい角がなく、格別な洗浄道具を用いなくても洗浄可能であって清潔である。
また、前記巻きサイズ標記ラインによって管体（ストロー）の直径の大きさが決められ、各種飲み物に適する。平行に長い筋方向に巻いて収納すれば、短く巻取って体積が小さくでき、気密性がある収納箱内に入れられるため、衛生的で携帯しやすい。収納箱には別にプラスチックフィルムカット構造（刃２３０）が設置でき、飲み物カップの蓋に切り込みを入れることにより飲み物カップにストローを差し込み口を形成する問題が解決できる。
また、固定部品２の設置は柔軟性フィルム１を巻いて管体状態になる時に固定することを行え、固定部品２の固定方式または手段は従来の技術によって柔軟性フィルム１に設置され、携帯かつ収納しやすくなる。
【符号の説明】
【００１７】
１００      環境にやさしい平面ストロー構造
１          柔軟性フィルム
１１        第一側辺
１２        第二側辺
１３        第三側辺
１３１      太いストロー内径標記ライン
１３２      細いストロー内径標記ライン
１３３      箸内径標記ライン
１４        第四側辺
１５        第五側辺
１６        第六側辺
２          固定部品
２１        フック状構造部材
２２        環状構造部材
２００      収納箱
２１０      収納本体
２２０      収納蓋
２３０      プラスチックフィルムカット構造
Ｌ          長さ
Ｒ          巻き方向
Ｗ          広さ
Ｘ          長さ方向
θ１        第一角度
θ２        第二角度
【図１】
0003224031.tif 000003
【図２】
0003224031.tif 000004
【図３】
0003224031.tif 000005
【図４】
0003224031.tif 000006
【図５】
0003224031.tif 000007
【図６】
0003224031.tif 000008
【図７】
0003224031.tif 000009
【図８】
0003224031.tif 000010
【手続補正書】
【提出日】令和1年9月17日(2019.9.17)
【手続補正１】
【補正対象書類名】実用新案登録請求の範囲
【補正対象項目名】全文
【補正方法】変更
【補正の内容】
【実用新案登録請求の範囲】
【請求項１】
柔軟性フィルムからなり、
長さ方向の一端側に固定部品を備えると共に左右両辺を第一側辺と第二側辺とし、
上記長さ方向の他端側にそれぞれ第一側辺と第二側辺と接続して相互に角度をなす第三側辺と第四側辺を形成し、
該第三側辺側から垂直方向に巻回して端縁部が重ね合された管体状態とし、
前記固定部品により固定することにより、
平面に展開可能としたことを特徴とする環境にやさしい平面ストロー構造。
【請求項２】
上記柔軟性フィルムは、
上記長さ方向の他端側にそれぞれ第一側辺と第二側辺と接続して相互に角度をなす第五側辺と第六側辺を形成して六辺形とし、
上記第四側辺と第五側辺と第六側辺は直線またはカーブを有することを特徴とする請求項１の環境にやさしい平面ストロー構造。
【請求項３】
上記固定部品は、スナップボタンなどの嵌合構造のロック部材であり、凹み部材と少なくとも一つの突起部材からなり、上記凹み部材は上記第六側辺の内表面に設置され、少なくとも一つの突起部材は上記第五側辺の外表面に設置されることを特徴とする請求項２の環境にやさしい平面ストロー構造。
【請求項４】
上記固定部品は、スナップボタンなどの嵌合構造のロック部材であり、突起部材と少なくとも一つの凹み部材があり、上記突起部材は上記第六側辺の内表面に設置され、少なくとも一つの凹み部材は上記第五側辺の外表面に設置されることを特徴とする請求項２の環境にやさしい平面ストロー構造。
【請求項５】
上記固定部品は、面ファスナーであり、フック状構造部材と少なくとも一つの環状構造部材からなり、上記フック状構造部材は上記第六側辺の内表面に設置され、少なくとも一つの環状構造部材は上記第五側辺の外表面に設置されることを特徴とする請求項２の環境にやさしい平面ストロー構造。
【請求項６】
上記固定部品は、面ファスナーであり、環状構造部材と少なくとも一つのフック状構造部材からなり、上記環状構造部材は上記第六側辺の内表面に設置され、少なくとも一つのフック状構造部材は上記第五側辺の外表面に設置されることを特徴とする請求項２の環境にやさしい平面ストロー構造。
【請求項７】
上記固定部品は、束ねリングまたは束ね紐であることを特徴とする請求項１の環境にやさしい平面ストロー構造。
【請求項８】
上記柔軟性フィルムは、上記の長さ方向に沿って巻回して収納状態に呈することを特徴とする請求項１の環境にやさしい平面ストロー構造。
【請求項９】
上記収納状態を呈し、飲み物カップの蓋に切り込みを入れるプラスチックフィルムカット構造を備えた収納箱に収納可能としたことを特徴とする請求項８の環境にやさしい平面ストロー構造。
【請求項１０】
上記柔軟性フィルムの内表面には複数のサイズ標記ラインを設け、該サイズ標記ラインはそれぞれ第三側辺と互いに平行して間隔を空け、また上記サイズ標記ラインの間に互いに間隔を空け、また互いに平行し、巻く時、上記第三側辺をその中一つのサイズ標記ラインに重ね合せて巻くことで、予定される管内径の管体が形成されることを特徴とする請求項１の環境にやさしい平面ストロー構造。